(57)【要約】【課題】ステレオ音響信号の音響効果を多様にかつ容易に調整することが可能な音響効果付与装置、音響効果付与方法および音響効果付与プログラムを提供する。【解決手段】Ｍ／Ｓ変換部１１０は、ステレオ音響信号ＡＳ１を和信号ＭＳ１および差信号ＳＳ１に変換する。効果付与部１２０Ｍは和信号ＭＳ１に音響効果を付与し、効果付与部１２０Ｓは差信号ＳＳ１に音響効果を付与する。Ｍ／Ｓ再変換部１５０は、音響効果が付与された和信号ＭＳ２および差信号ＳＳ２をステレオ音響信号ＡＳ２に変換する。第１の制御部１６０は、第１の操作パラメータＯＰ１の値に基づいて効果付与部１２０Ｍ，１２０Ｓの音響効果の性質をそれぞれ制御する。第２の制御部１７０は、第２の操作パラメータＯＰ２の値に基づいて効果付与部１２０Ｓの音響効果の程度をそれぞれ制御する。【選択図】図２
2018116153.tif 000002
【特許請求の範囲】
【請求項１】
ステレオ音響信号を和信号および差信号に変換する第１の変換手段と、
前記和信号に第１の音響効果を付与する第１の音響効果付与手段と、
前記差信号に第２の音響効果を付与する第２の音響効果付与手段と、
前記第１の音響効果の付与後の和信号および前記第２の音響効果の付与後の差信号をステレオ音響信号に変換する第２の変換手段と、
第１の操作パラメータの値を取得し、取得した第１の操作パラメータの値に基づいて前記第１の音響効果の性質および前記第２の音響効果の性質を制御する第１の制御手段と、
第２の操作パラメータの値を取得し、取得した第２の操作パラメータの値に基づいて前記第１の音響効果の程度および前記第２の音響効果の程度を制御する第２の制御手段とを備えた、音響効果付与装置。
【請求項２】
前記第１の制御手段は、前記第１の操作パラメータの所定個数の値と前記音響効果の性質を表す所定個数の値との対応関係を第１の対応情報として取得し、取得した前記第１の操作パラメータの任意の値に対応する性質を表す値を前記第１の対応情報の補間により生成し、生成した値に基づいて前記第１の音響効果の性質および前記第２の音響効果の性質を制御する、請求項１記載の音響効果付与装置。
【請求項３】
前記第２の制御手段は、前記第２の操作パラメータの所定個数の値と前記音響効果の程度を表す所定個数の値との対応関係を第２の対応情報として取得し、取得した前記第２の操作パラメータの任意の値に対応する程度を表す値を前記第２の対応情報の補間により生成し、生成した値に基づいて前記第１の音響効果の程度および前記第２の音響効果の程度を制御する、請求項１または２記載の音響効果付与装置。
【請求項４】
前記第１の音響効果付与手段は、前記第１の音響効果が付与された和信号を生成する第１の生成部と、前記第１の音響効果が付与された和信号を伝達する第１の経路と、前記第１の音響効果が付与されない和信号を伝達する第２の経路と、前記第１の経路の和信号と前記第２の経路の和信号とを合成する第１の合成部とを含み、
前記第２の音響効果付与手段は、前記第２の音響効果が付与された差信号を生成する第２の生成部と、前記第２の音響効果が付与された差信号を伝達する第３の経路と、前記第２の音響効果が付与されない差信号を伝達する第４の経路と、前記第３の経路の差信号と前記第４の経路の差信号とを合成する第２の合成部とを含み、
前記第２の制御手段は、前記第１および第２の経路の和信号の音量をそれぞれ制御することにより前記第１の音響効果の程度を制御し、前記第３および第４の経路の差信号の音量をそれぞれ制御することにより前記第２の音響効果の程度を制御する、請求項１〜３のいずれか一項に記載の音響効果付与装置。
【請求項５】
前記第２の制御手段は、前記和信号の音量を制御することにより前記第１の音響効果の程度を制御し、前記差信号の音量を制御することにより前記第２の音響効果の程度を制御する、請求項１〜４のいずれか一項に記載の音響効果付与装置。
【請求項６】
ステレオ音響信号を和信号および差信号に変換するステップと、
前記和信号に第１の音響効果を付与するステップと、
前記差信号に第２の音響効果を付与するステップと、
前記第１の音響効果の付与後の和信号および前記第２の音響効果の付与後の差信号をステレオ音響信号に変換するステップと、
第１の操作パラメータの値を取得し、取得した第１の操作パラメータの値に基づいて前記第１の音響効果の性質および前記第２の音響効果の性質を制御するステップと、
第２の操作パラメータの値を取得し、取得した第２の操作パラメータの値に基づいて前記第１の音響効果の程度および前記第２の音響効果の程度を制御するステップとを含む、音響効果付与方法。
【請求項７】
ステレオ音響信号を和信号および差信号に変換するステップと、
前記和信号に第１の音響効果を付与するステップと、
前記差信号に第２の音響効果を付与するステップと、
前記第１の音響効果の付与後の和信号および前記第２の音響効果の付与後の差信号をステレオ音響信号に変換するステップと、
第１の操作パラメータの値を取得し、取得した第１の操作パラメータの値に基づいて前記第１の音響効果の性質および前記第２の音響効果の性質を制御するステップと、
第２の操作パラメータの値を取得し、取得した第２の操作パラメータの値に基づいて前記第１の音響効果の程度および前記第２の音響効果の程度を制御するステップとを、
コンピュータに実行させるための音響効果付与プログラム。
【発明の詳細な説明】
【技術分野】
【０００１】
本発明は、ステレオ音響信号に音響効果を付与する音響効果付与装置、音響効果付与方法および音響効果付与プログラムに関する。
【背景技術】
【０００２】
ステレオ音響信号の処理方法としてＭ／Ｓ（Ｍｉｄ／Ｓｉｄｅ）処理が知られている。ステレオ音響信号は、右信号および左信号から構成される。Ｍ／Ｓ処理では、右信号および左信号が和信号および差信号に変換され、和信号および差信号にそれぞれ所定の処理が行われる。処理された和信号および差信号がステレオ音響信号に変換される。それにより、ステレオ音響信号によるステレオ音像の広がり等を調整することができる。
【０００３】
例えば、特許文献１には、音像強調装置が記載されている。特許文献１の音像強調装置では、ステレオ信号から和信号および差信号が生成される。和信号の大きさが変更され、差信号の低周波帯域が遅延されるように修正が行われる。修正された和信号および差信号が複合音響信号に再構成される。
【先行技術文献】
【特許文献】
【０００４】
【特許文献１】米国特許第４３５６３４９号明細書
【発明の概要】
【発明が解決しようとする課題】
【０００５】
特許文献１に記載された音像強調装置によれば、音の広がりを得ることができる。しかしながら、ステレオ音響信号に多様な音響効果を付与することができない。Ｍ／Ｓ処理を用いた装置においてステレオ音響信号に付与される音響効果を多様に調整するためには、和信号および差信号に音響効果を付与する回路にそれぞれ多数のパラメータの値を設定することが必要となる。そのため、ステレオ音響信号の音響効果を多様に調整することは難しい。
【０００６】
本発明の目的は、ステレオ音響信号の音響効果を多様にかつ容易に調整することが可能な音響効果付与装置、音響効果付与方法および音響効果付与プログラムを提供することである。
【課題を解決するための手段】
【０００７】
本発明に係る音響効果付与装置は、ステレオ音響信号を和信号および差信号に変換する第１の変換手段と、和信号に第１の音響効果を付与する第１の音響効果付与手段と、差信号に第２の音響効果を付与する第２の音響効果付与手段と、第１の音響効果の付与後の和信号および第２の音響効果の付与後の差信号をステレオ音響信号に変換する第２の変換手段と、第１の操作パラメータの値を取得し、取得した第１の操作パラメータの値に基づいて第１の音響効果の性質および第２の音響効果の性質を制御する第１の制御手段と、第２の操作パラメータの値を取得し、取得した第２の操作パラメータの値に基づいて第１の音響効果の程度および第２の音響効果の程度を制御する第２の制御手段とを備える。
【０００８】
その音響効果付与装置によれば、使用者が第１の操作パラメータの値を調整することにより和信号および差信号にそれぞれ付与される第１および第２の音響効果の性質が制御される。また、使用者が第２の操作パラメータの値を調整することにより和信号および差信号にそれぞれ付与される第１および第２の音響効果の程度が制御される。この場合、ステレオ音響信号による音像の中央の成分および両側の成分の音響効果がそれぞれ調整される。したがって、ステレオ音響信号の音響効果を多様にかつ容易に調整することが可能となる。
【０００９】
第１の制御手段は、第１の操作パラメータの所定個数の値と音響効果の性質を表す所定個数の値との対応関係を第１の対応情報として取得し、取得した第１の操作パラメータの任意の値に対応する性質を表す値を第１の対応情報の補間により生成し、生成した値に基づいて第１の音響効果の性質および第２の音響効果の性質を制御してもよい。この場合、第１の対応情報のデータ量を削減することができる。
【００１０】
第２の制御手段は、第２の操作パラメータの所定個数の値と音響効果の程度を表す所定個数の値との対応関係を第２の対応情報として取得し、取得した第２の操作パラメータの任意の値に対応する程度を表す値を第２の対応情報の補間により生成し、生成した値に基づいて第１の音響効果の程度および第２の音響効果の程度を制御してもよい。この場合、第２の対応情報のデータ量を削減することができる。
【００１１】
第１の音響効果付与手段は、第１の音響効果が付与された和信号を生成する第１の生成部と、第１の音響効果が付与された和信号を伝達する第１の経路と、第１の音響効果が付与されない和信号を伝達する第２の経路と、第１の経路の和信号と第２の経路の和信号とを合成する第１の合成部とを含み、第２の音響効果付与手段は、第２の音響効果が付与された差信号を生成する第２の生成部と、第２の音響効果が付与された差信号を伝達する第３の経路と、第２の音響効果が付与されない差信号を伝達する第４の経路と、第３の経路の差信号と第４の経路の差信号とを合成する第２の合成部とを含み、第２の制御手段は、第１および第２の経路の和信号の音量をそれぞれ制御することにより第１の音響効果の程度を制御し、第３および第４の経路の差信号の音量をそれぞれ制御することにより第２の音響効果の程度を制御してもよい。この場合、第１および第２の音響効果の程度を簡単な構成でそれぞれ制御することができる。
【００１２】
第２の制御手段は、和信号の音量を制御することにより第１の音響効果の程度を制御し、差信号の音量を制御することにより第２の音響効果の程度を制御してもよい。この場合、第１および第２の音響効果の程度を簡単な構成でそれぞれ制御するとともに和信号および差信号の割合を制御することができる。
【００１３】
本発明に係る音響効果付与方法は、ステレオ音響信号を和信号および差信号に変換するステップと、和信号に第１の音響効果を付与するステップと、差信号に第２の音響効果を付与するステップと、第１の音響効果の付与後の和信号および第２の音響効果の付与後の差信号をステレオ音響信号に変換するステップと、第１の操作パラメータの値を取得し、取得した第１の操作パラメータの値に基づいて第１の音響効果の性質および第２の音響効果の性質を制御するステップと、第２の操作パラメータの値を取得し、取得した第２の操作パラメータの値に基づいて第１の音響効果の程度および第２の音響効果の程度を制御するステップとを含む。
【００１４】
本発明に係る音響効果付与プログラムは、ステレオ音響信号を和信号および差信号に変換するステップと、和信号に第１の音響効果を付与するステップと、差信号に第２の音響効果を付与するステップと、第１の音響効果の付与後の和信号および第２の音響効果の付与後の差信号をステレオ音響信号に変換するステップと、第１の操作パラメータの値を取得し、取得した第１の操作パラメータの値に基づいて第１の音響効果の性質および第２の音響効果の性質を制御するステップと、第２の操作パラメータの値を取得し、取得した第２の操作パラメータの値に基づいて第１の音響効果の程度および第２の音響効果の程度を制御するステップとを、コンピュータに実行させるためのものである。
【発明の効果】
【００１５】
本発明によれば、ステレオ音響信号の音響効果を多様にかつ容易に調整することが可能となる。
【図面の簡単な説明】
【００１６】
【図１】本発明の一実施の形態に係る音響効果付与装置を含む電子楽器の構成を示すブロック図である。
【図２】図１の音響効果付与装置の構成を示すブロック図である。
【図３】第１および第２の操作パラメータの値に対応する内部パラメータの値の例を示す図である。
【図４】図２の音響効果付与装置における音響効果付与処理を示すフローチャートである。
【図５】図２の音響効果付与装置における音響効果付与処理を示すフローチャートである。
【発明を実施するための形態】
【００１７】
以下、本発明の実施の形態に係る音響効果付与装置、音響効果付与方法および音響効果付与プログラムについて図面を用いて詳細に説明する。
【００１８】
（１）電子楽器の構成
図１は本発明の一実施の形態に係る音響効果付与装置を含む電子楽器の構成を示すブロック図である。
【００１９】
図１に示すように、電子楽器１は、演奏操作子２、設定操作子３および表示器４を備える。演奏操作子２は、例えば鍵盤を含み、バス１４に接続される。使用者の演奏動作に基づく演奏データが演奏操作子２により入力される。設定操作子３は、オンオフ操作される操作スイッチ、回転操作される操作スイッチ、またはスライド操作される操作スイッチ等を含み、バス１４に接続される。この設定操作子３は、操作パラメータの調整、音量の調整、電源のオンオフおよび各種設定を行うために用いられる。表示器４はバス１４に接続される。表示器４には、曲名、音響効果パラメータの値、楽譜、またはその他の各種情報が表示される。表示器４がタッチパネルディスプレイであってもよい。この場合、演奏操作子２または設定操作子３の一部または全てが表示器４に表示されてもよい。使用者は、表示器４を操作することにより各種操作を指示することができる。
【００２０】
電子楽器１は、信号処理部５およびサウンドシステム８を備える。信号処理部５は、音源部６および音響効果付与装置１００を含む。音源部６および音響効果付与装置１００はバス１４に接続される。音源部６は例えば専用回路により構成され、演奏操作子２から入力される演奏データまたは後述する記憶装置１２から与えられる楽曲データ等に基づいて音響信号（オーディオデータ）を生成する。音響信号は、音の変化を表す波形信号を所定のサンプリング周期でサンプリングすることにより得られる複数のサンプリング値からなる。音響効果付与装置１００の構成および動作の詳細については後述する。
【００２１】
サウンドシステム８は、デジタルアナログ（Ｄ／Ａ）変換回路、増幅器およびスピーカを含む。このサウンドシステム８は、音源部６から音響効果付与装置１００を通して与えられる音響信号をアナログ音信号に変換し、アナログ音信号に基づく音を発生する。
【００２２】
電子楽器１は、ＲＡＭ（ランダムアクセスメモリ）９、ＲＯＭ（リードオンリメモリ）１０、ＣＰＵ（中央演算処理装置）１１、記憶装置１２および通信Ｉ／Ｆ（インタフェース）１３をさらに備える。ＲＡＭ９、ＲＯＭ１０、ＣＰＵ１１、記憶装置１２および通信Ｉ／Ｆ１３はバス１４に接続される。外部記憶装置等の外部機器が通信Ｉ／Ｆ１３を介してバス１４に接続されてもよい。
【００２３】
ＲＯＭ１０は、例えば不揮発性メモリからなり、ＣＰＵ１１が実行する制御プログラムを記憶する。ＲＡＭ９は、例えば揮発性メモリからなり、ＣＰＵ１１の作業領域として用いられるとともに、各種データを一時的に記憶する。ＣＰＵ１１は、ＲＯＭ１０に記憶された制御プログラムを実行し、設定操作子３の操作に応じて音響効果付与装置１００に各種指示を与える。ＣＰＵ１１、ＲＯＭ１０およびＲＡＭ９がコンピュータを構成する。
【００２４】
記憶装置１２は、ハードディスク、光学ディスク、磁気ディスクまたはメモリカード等の記憶媒体を含む。この記憶装置１２には、楽曲データが記憶される。楽曲データは、楽曲を表す音響信号である。演奏操作子２から入力される演奏データに基づいて楽曲データが生成され、記憶装置１２に記憶されてもよい。
【００２５】
（２）音響効果付与装置１００
図２は図１の音響効果付与装置１００の構成を示すブロック図である。図２の音響効果付与装置１００は、Ｍ／Ｓ（Ｍｉｄ／Ｓｉｄｅ）変換部１１０、効果付与部１２０Ｍ，１２０Ｓ、増幅器１４０Ｍ，１４０ＳおよびＭ／Ｓ再変換部１５０を含む。Ｍ／Ｓ変換部１１０には、左信号Ｌ１および右信号Ｒ１からなるステレオ音響信号ＡＳ１が入力される。Ｍ／Ｓ変換部１１０は、ステレオ音響信号ＡＳ１を和信号ＭＳ１および差信号ＳＳ１に変換する。和信号ＭＳ１は、ステレオ音響信号ＡＳ１により表される音像の中央の成分を有するセンター信号である。差信号ＳＳ１は、ステレオ音響信号ＡＳ１により表される音像の左右両側の成分を有するサイド信号である。
【００２６】
効果付与部１２０Ｍは、和信号ＭＳ１に音響効果を付与し、効果付与部１２０Ｓは、差信号ＳＳ１に音響効果を付与する。音響効果は、例えば、ディストーション、イコライザ、ディレイおよびリバーブ等のうち一つの種類、または複数種類の組み合わせである。効果付与部１２０Ｍによる音響効果の種類と効果付与部１２０Ｓによる音響効果の種類とが同じであってもよく、異なっていてもよい。
【００２７】
効果付与部１２０Ｍは、効果処理部１２１およびレベル調整部１２２を含む。レベル調整部１２２は、増幅器２０１，２０２および加算器２０３により構成される。また、効果付与部１２０Ｍは、ドライ経路ＤＲおよびウェット経路ＷＥを有する。ドライ経路ＤＲには増幅器２０１が設けられ、ウェット経路ＷＥには効果処理部１２１および増幅器２０２が設けられる。ドライ経路ＤＲにおいては和信号ＭＳ１に音響効果が付与されず、ウェット経路ＷＥにおいては効果処理部１２１により和信号ＭＳ１に音響効果が付与される。ドライ経路ＤＲの増幅器２０１の出力信号は音響効果が付与されていないドライ信号である。ウェット経路ＷＥの増幅器２０２の出力信号は音響効果が付与されたウェット信号である。加算器２０３は、増幅器２０１の出力信号と増幅器２０２の出力信号とを加算する。
【００２８】
効果付与部１２０Ｓの構成および動作は、効果付与部１２０Ｍの構成および動作と同様である。効果付与部１２０Ｓのドライ経路ＤＲにおいては差信号ＳＳ１に音響効果が付与されず、ウェット経路ＷＥにおいては効果処理部１２１により差信号ＳＳ１に音響効果が付与される。
【００２９】
増幅器１４０Ｍは、効果付与部１２０Ｍの出力信号を増幅し、和信号ＭＳ２を出力する。増幅器１４０Ｓは、効果付与部１２０Ｓの出力信号を増幅し、差信号ＳＳ２を出力する。Ｍ／Ｓ再変換部１５０は、和信号ＭＳ２および差信号ＳＳ２を左信号Ｌ２および右信号Ｒ２からなるステレオ音響信号ＡＳ２に変換する。
【００３０】
効果付与部１２０Ｍ，１２０Ｓおよび増幅器１４０Ｍ，１４０Ｓには、複数の音響効果パラメータが与えられる。
【００３１】
以下、音響効果パラメータを内部パラメータと呼ぶ。複数の内部パラメータは、音響効果の性質（特性、方向性またはテクスチャ）を調整するための内部パラメータと、音響効果の程度（深さ、度合いまたは係り具合）を調整するための内部パラメータとを含む。音響効果の性質を調整するための内部パラメータとしては、例えば、ディストーションでは、ドライブ（Drive）、トーン（Tone）等が挙げられる。イコライザでは、周波数（Frequency）、キュー（Ｑ）、ゲイン（Gain）、タイプ（Type）等が挙げられる。タイプには、ピーキング（Peaking）、ローシェルビングフィルタ（Low Shelving Filter）、ハイシェルビングフィルタ（High Shelving Filter）、ハイパスフィルタ（High Pass Filter）等がある。ディレイでは、ディレイタイム（Delay Time）、フィードバックレベル（Feedback Level）、内包するイコライザの特性に関するパラメータ等が挙げられる。イコライザの特性に関するパラメータには、ハイパスフィルタ（High Pass Filter）、ローパスフィルタ（Low Pass Filter）等がある。リバーブでは、リバーブタイプ（Reverb Type）、リバーブタイム（Reverb Time）、ルームサイズ（Room Size）、プリディレイ（Pre Delay）、アーリーリフレクション（Early Reflection）、テイル（Tail）、ダンピング（Damping）等が挙げられる。本実施の形態では、効果付与部１２０Ｍに、音響効果の性質を調整するための内部パラメータＰＭ１〜ＰＭｎ（ｎ：２以上の整数）および音響効果の程度を調整するための内部パラメータＰＭ１１，ＰＭ１２が与えられる。また、効果付与部１２０Ｓに、音響効果の性質を調整するための内部パラメータＰＳ１〜ＰＳｎおよび音響効果の程度を調整するための内部パラメータＰＳ１１，ＰＳ１２が与えられる。増幅器１４０Ｍ，１４０Ｓには、和信号ＭＳ１および差信号ＳＳ１の音響効果の程度をそれぞれ調整するための内部パラメータＰＭ１３，ＰＳ１３がそれぞれ与えられる。例えば、音響効果の程度を調整するための内部パラメータＰＭ１１〜ＰＭ１３，ＰＳ１１〜ＰＳ１３は、ゲインに関する内部パラメータである。それにより、和信号ＭＳ１または差信号ＳＳ１のレベル（音量）が調整される。
【００３２】
本実施の形態では、効果付与部１２０Ｍに与えられる内部パラメータＰＭ１〜ＰＭｎの種類および効果付与部１２０Ｓに与えられる内部パラメータＰＳ１〜ＰＳｎの種類の少なくとも一部が同じである。例えば、内部パラメータＰＭ１，ＰＳ１が同じ種類の内部パラメータであってもよい。なお、効果付与部１２０Ｍに与えられる内部パラメータＰＭ１〜ＰＭｎの種類および効果付与部１２０Ｓに与えられる内部パラメータＰＳ１〜ＰＳｎの種類が異なっていてもよい。効果付与部１２０Ｍの効果処理部１２１は内部パラメータＰＭ１〜ＰＭｎの値に基づいて音響効果の性質を調整し、効果付与部１２０Ｓの効果処理部１２１は内部パラメータＰＳ１〜ＰＳｎの値に基づいて音響効果の性質を調整する。
【００３３】
効果付与部１２０Ｍのレベル調整部１２２は内部パラメータＰＭ１１，ＰＭ１２の値に基づいて音響効果の程度を調整し、効果付与部１２０Ｓのレベル調整部１２２は内部パラメータＰＳ１１，ＰＳ１２の値に基づいて音響効果の程度を調整する。この場合、内部パラメータＰＭ１１，ＰＭ１２の値に基づいて効果付与部１２０Ｍのウェット経路ＷＥの和信号ＭＳ１のレベル（音量）が調整され、内部パラメータＰＳ１１，ＰＳ１２の値に基づいて効果付与部１２０Ｓのウェット経路ＷＥの差信号ＳＳ１のレベル（音量）が調整される。また、内部パラメータＰＭ１３，ＰＳ１３の値により増幅器１４０Ｍ，１４０Ｓのゲインがそれぞれ調整される。この場合、内部パラメータＰＭ１３の値により和信号ＭＳ２のレベル（音量）が調整され、内部パラメータＰＳ１３の値により差信号ＳＳ２のレベル（音量）が調整される。
【００３４】
音響効果付与装置１００は、第１の制御部１６０、第２の制御部１７０、第１の記憶部１８０および第２の記憶部１９０をさらに含む。第１の制御部１６０には、図１の設定操作子３の操作により設定または調整された第１の操作パラメータＯＰ１の値が与えられる。第２の制御部１７０には、図１の設定操作子３の操作により設定または調整された第２の操作パラメータＯＰ２の値が与えられる。第１の操作パラメータＯＰ１は、音響効果の性質を調整するために用いられる。第２の操作パラメータＯＰ２は、音響効果の程度を調整するために用いられる。
【００３５】
内部パラメータＰＭ１〜ＰＭｎ，ＰＳ１〜ＰＳｎの各々の値は、第１の操作パラメータＯＰ１の値により決定される。第１の記憶部１８０は、第１の操作パラメータＯＰ１の値と内部パラメータＰＭ１〜ＰＭｎ，ＰＳ１〜ＰＳｎの値との対応関係を第１の対応情報として記憶する。本実施の形態では、複数の内部パラメータ組ＳＴ１１〜ＳＴ１３が第１の対応情報として第１の記憶部１８０に記憶される。内部パラメータ組ＳＴ１１は、第１の操作パラメータＯＰ１の最大の値に対応する内部パラメータＰＭ１〜ＰＭｎ，ＰＳ１〜ＰＳｎの値を含む。内部パラメータ組ＳＴ１２は、第１の操作パラメータＯＰ１の中点の値に対応する内部パラメータＰＭ１〜ＰＭｎ，ＰＳ１〜ＰＳｎの値を含む。内部パラメータ組ＳＴ１３は、第１の操作パラメータＯＰ１の最小の値に対応する内部パラメータＰＭ１〜ＰＭｎ，ＰＳ１〜ＰＳｎの値を含む。
【００３６】
内部パラメータＰＭ１１〜ＰＭ１３，ＰＳ１１〜ＰＳ１３の各々の値は、第２の操作パラメータＯＰ２の値により決定される。第２の記憶部１９０は、第２の操作パラメータＯＰ２の値と内部パラメータＰＭ１１〜ＰＭ１３，ＰＳ１１〜ＰＳ１３の値との対応関係を第２の対応情報として記憶する。本実施の形態では、複数の内部パラメータ組ＳＴ２１〜ＳＴ２５が第２の対応情報として第２の記憶部１９０に記憶される。内部パラメータ組ＳＴ２１〜ＳＴ２５の各々は、第２の操作パラメータＯＰ２の値に対応する内部パラメータＰＭ１１〜ＰＭ１３，ＰＳ１１〜ＰＳ１３の値を含む。
【００３７】
図３は第１および第２の操作パラメータＯＰ１，ＯＰ２の値に対応する内部パラメータＰＭ１の値の例を示す図である。図３（ａ）には、第１の操作パラメータＯＰ１の最小の値、中点の値および最大の値に対応する内部パラメータＰＭ１の値の一例が示される。図３（ｂ）には、第２の操作パラメータＯＰ２の最小の値、中点の値および最大の値に対応する内部パラメータＰＭ１１の値の一例が示される。図３（ａ）の第１の操作パラメータＯＰ１の最小の値、中点の値および最大の値に対応する内部パラメータＰＭ１の値を補間することにより第１の操作パラメータＯＰ１の任意の値に対応する内部パラメータＰＭ１の値を得ることができる。同様に、図３（ｂ）の第２の操作パラメータＯＰ２の最小の値、中点の値および最大の値に対応する内部パラメータＰＭ１１の値を補間することにより第２の操作パラメータＯＰ２の任意の値に対応する内部パラメータＰＭ１１の値を得ることができる。第１の操作パラメータＯＰ１の値に対応する他の内部パラメータＰＭ２〜ＰＭｎ，ＰＳ１〜ＰＳｎの値についても、図２の内部パラメータ組ＳＴ１１〜ＳＴ１３の補間により決定することができる。また、第２の操作パラメータＯＰ２の任意の値に対応する内部パラメータＰＭ１１〜ＰＭ１３，ＰＳ１１〜ＰＳ１３についても、図２の内部パラメータ組ＳＴ２１〜ＳＴ２５の補間により決定することができる。
【００３８】
なお、図３（ｂ）の例では、第２の操作パラメータＯＰ２の値に対応する内部パラメータＰＭ１１の値が単調増加するが、第１および第２の操作パラメータＯＰ１，ＯＰ２の値に対応する内部パラメータＰＭ１〜ＰＭｎ，ＰＳ１〜ＰＳｎ，ＰＭ１１〜ＰＭ１３，ＰＳ１１〜ＰＳ１３の値は単調増加しないでもよい。第１および第２の操作パラメータＯＰ１，ＯＰ２の値に対応する内部パラメータＰＭ１〜ＰＭｎ，ＰＳ１〜ＰＳｎ，ＰＭ１１〜ＰＭ１３，ＰＳ１１〜ＰＳ１３の値は、単調増加してもよく、単調減少してもよく、任意の形状で変化してもよい。
【００３９】
第１の制御部１６０は、第１の記憶部１８０から第１の対応情報を取得し、取得した第１の対応情報に基づいて第１の操作パラメータＯＰ１の値に対応する内部パラメータＰＭ１〜ＰＭｎ，ＰＳ１〜ＰＳｎの値を決定する。第２の制御部１７０は、第２の記憶部１９０から第２の対応情報を取得し、取得した第２の対応情報に基づいて第２の操作パラメータＯＰ２の値に対応する内部パラメータＰＭ１１〜ＰＭ１３，ＰＳ１１〜ＰＳ１３の値を決定する。それより、第１の操作パラメータＯＰ１の値に基づいて効果付与部１２０Ｍ，１２０Ｓによる音響効果の性質が制御され、第２の操作パラメータＯＰ２の値に基づいて効果付与部１２０Ｍ，１２０Ｓによる音響効果の程度が制御される。
【００４０】
第１の対応情報は、第１の操作パラメータＯＰ１の値の変化に従って効果付与部１２０Ｍ，１２０Ｓによる音響効果の性質が連続的または段階的に変化するように設定されてもよい。また、第２の対応情報は、第２の操作パラメータＯＰ２の値の変化に従って効果付与部１２０Ｍ，１２０Ｓによる音響効果の程度が連続的または段階的に変化するように設定されてもよい。それにより、ステレオ音響信号ＡＳ２の音響効果が自然に変化する。
【００４１】
音響効果付与装置１００は、電子回路等のハードウエアにより構成されてもよく、音響効果付与プログラム等のソフトウエアにより構成されてもよく、ハードウエアおよびソフトウエアの両方により構成されてもよい。
【００４２】
音響効果付与装置１００は、例えばＤＳＰ（Digital Signal Processor;デジタルシグナルプロセッサ）により構成される。なお、音響効果付与装置１００が専用回路により構成されてもよい。
【００４３】
音響効果付与装置１００の少なくとも一部がソフトウエアにより実現される場合には、ＲＯＭ１０または記憶装置１２に音響効果付与プログラム等のコンピュータプログラムが記憶される。この場合、ＣＰＵ１１がＲＯＭ１０に記憶された音響効果付与プログラムをＲＡＭ９上で実行することにより図２の音響効果付与装置１００の各構成要素の機能が実現されるとともに音響効果付与処理が行われる。
【００４４】
なお、音響効果付与プログラムは、コンピュータが読み取り可能な記録媒体に格納された形態で提供され、ＲＯＭ１０または記憶装置１２にインストールされてもよい。また、通信Ｉ／Ｆ１３が通信網に接続されている場合、通信網に接続されたサーバから配信された音響効果付与プログラムがＲＯＭ１０または記憶装置１２にインストールされてもよい。
【００４５】
（３）音響効果付与処理
図４は図２の音響効果付与装置１００における音響効果付与処理を示すフローチャートである。初期状態では、内部パラメータＰＭ１〜ＰＭｎ，ＰＳ１〜ＰＳｎ，ＰＭ１１〜ＰＭ１３，ＰＳ１１〜ＰＳ１３は、既定値または前回の第１および第２の操作パラメータＯＰ１，ＯＰ２の値に対応する値に設定されている。Ｍ／Ｓ変換部１１０にはステレオ音響信号ＡＳ１が入力される。
【００４６】
まず、第１および第２の制御部１６０，１７０は、第１および第２の記憶部１８０，１９０から第１および第２の対応情報として内部パラメータ組ＳＴ１１〜ＳＴ１３，ＳＴ２１〜ＳＴ２５を取得する（ステップＳ１）。次に、Ｍ／Ｓ変換部１１０は、ステレオ音響信号ＡＳ１を和信号ＭＳ１および差信号ＳＳ１に変換する（ステップＳ２）。効果付与部１２０Ｍは設定された内部パラメータＰＭ１〜ＰＭｎ，ＰＭ１１，ＰＭ１２の値に基づいて和信号ＭＳ１に音響効果を付与し、効果付与部１２０Ｓは設定された内部パラメータＰＳ１〜ＰＳｎ，ＰＳ１１，ＰＳ１２の値に基づいて差信号ＳＳ１に音響効果を付与する（ステップＳ３）。このとき、増幅器１４０Ｍ，１４０Ｓは、内部パラメータＰＭ１３，ＰＳ１３の値に基づくゲインで和信号ＭＳ１および差信号ＳＳ１を増幅する。
【００４７】
第１の制御部１６０は、第１の操作パラメータＯＰ１の値を取得し（ステップＳ４）、第１の操作パラメータＯＰ１の値が変更されたか否かを判定する（ステップＳ５）。第１の操作パラメータＯＰ１の値が変更された場合には、第１の制御部１６０は、内部パラメータ組ＳＴ１１〜ＳＴ１３の補間（ステップＳ６）により第１の操作パラメータＯＰ１の値に対応する内部パラメータＰＭ１〜ＰＭｎ，ＰＳ１〜ＰＳｎの値を決定する（ステップＳ７）。第１の制御部１６０は、内部パラメータＰＭ１〜ＰＭｎ，ＰＳ１〜ＰＳｎの決定された値を効果付与部１２０Ｍ，１２０Ｓに設定することにより音響効果の性質（特性またはテキスチャ）を変更する（ステップＳ８）。ステップＳ５で第１の操作パラメータＯＰ１の値が変更されていない場合には、ステップＳ６〜Ｓ８がスキップされる。それにより、音響効果の性質が変更されずに維持される。
【００４８】
第２の制御部１７０は、第２の操作パラメータＯＰ２の値を取得し（ステップＳ９）、第２の操作パラメータＯＰ２の値が変更されたか否かを判定する（ステップＳ１０）。第２の操作パラメータＯＰ２の値が変更された場合には、第２の制御部１７０は、内部パラメータ組ＳＴ２１〜ＳＴ２５の補間（ステップＳ１１）により第２の操作パラメータＯＰ２の値に対応する内部パラメータＰＭ１１〜ＰＭ１３，ＰＳ１１〜ＰＳ１３の値を決定する（ステップＳ１２）。第２の制御部１７０は、内部パラメータＰＭ１１〜ＰＭ１３，ＰＳ１１〜ＰＳ１３の決定された値を効果付与部１２０Ｍ，１２０Ｓおよび増幅器１４０Ｍ，１４０Ｓに設定することにより音響効果の程度を変更する（ステップＳ１３）。ステップＳ１０で第２の操作パラメータＯＰ２の値が変更されていない場合には、ステップＳ１１〜Ｓ１３がスキップされる。それにより、音響効果の程度（深さ）が変更されずに維持される。
【００４９】
増幅器１４０Ｍ，１４０Ｓからは音響効果が付与された和信号ＭＳ２および差信号ＳＳ２が出力される。次に、Ｍ／Ｓ再変換部１５０は、音響効果が付与された和信号ＭＳ２および差信号ＳＳ２をステレオ音響信号ＡＳ２に変換する（ステップＳ１４）。その後、Ｍ／Ｓ変換部１１０は、ステレオ音響信号ＡＳ１の入力が終了したか否かを判定する（ステップＳ１５）。ステレオ音響信号ＡＳ１の入力が終了していない場合には、Ｍ／Ｓ変換部１１０はステップＳ２に戻る。それにより、ステップＳ２〜Ｓ１５の処理が繰り返される。ステレオ音響信号ＡＳ１の入力が終了した場合には、音響効果付与処理が終了する。
【００５０】
（４）実施の形態の効果
本実施の形態に係る音響効果付与装置１００によれば、使用者が設定操作子３を用いて第１の操作パラメータＯＰ１の値を調整することにより和信号ＭＳ１および差信号ＳＳ１にそれぞれ付与される音響効果の性質が制御される。また、音響効果付与装置１００使用者が第２の操作パラメータＯＰ２の値を調整することにより和信号ＭＳ１および差信号ＳＳ１に付与される音響効果の程度が制御される。この場合、ステレオ音響信号ＡＳ２による音像の中央の成分および両側の成分の音響効果がそれぞれ調整される。したがって、ステレオ音響信号による音の広がりを調整しつつステレオ音響信号の音響効果を多様にかつ容易に調整することが可能となる。
【００５１】
（５）他の実施の形態
上記実施の形態では、音響効果付与装置１００が電子楽器１に設けられているが、音響効果付与装置１００が音響機器、ミキサー等の他の装置に設けられてもよい。また、音響効果付与装置１００は、外部から供給されるステレオ音響信号に音響効果を付与する単体の音響効果付与専用装置として用いられてもよい。
【００５２】
音響効果付与装置１００は、リアルタイムに入力されるステレオ音響信号ＡＳ１に音響効果を付与するために用いられてもよく、記憶媒体に記憶されているステレオ音響信号ＡＳ１に音響効果を付与するために用いられてもよい。
【００５３】
内部パラメータの数は、上記実施の形態における数に限定されず、任意の数の内部パラメータが各効果付与部１２０Ｍ，１２０Ｓに与えられてもよい。なお、内部パラメータの数は第１および第２の操作パラメータＯＰ１，ＯＰ２の数よりも多い。
【００５４】
第１の対応情報として用いられる内部パラメータ組の数は３に限定されず、３以外の任意の数の内部パラメータ組が記憶されてもよい。また、第２の対応情報として用いられる内部パラメータ組の数は５に限定されず、５以外の任意の数の内部パラメータ組が記憶されてもよい。また、第１の対応情報が第１の操作パラメータＯＰ１の値と内部パラメータＰＭ１〜ＰＭｎ，ＰＳ１〜ＰＳｎの値との対応関係を示す関数であってもよい。同様に、第２の対応情報が第２の操作パラメータＯＰ２の値と内部パラメータＰＭ１１〜ＰＭ１３，ＰＳ１１〜ＰＳ１３の値との対応関係を示す関数であってもよい。
【００５５】
上記実施の形態では、内部パラメータＰＭ１〜ＰＭｎ，ＰＳ１〜ＰＳｎ，ＰＭ１１〜ＰＭ１３，ＰＳ１１〜ＰＳ１３が連続値または多値を有するが、一部の内部パラメータが特定の機能のオンおよびオフを指定するための離散的な２値（例えば１および０）を有してもよい。
【００５６】
（６）請求項の各構成要素と実施の形態の各部との対応
以下、請求項の各構成要素と実施の形態の各部との対応の例について説明するが、本発明は下記の例に限定されない。上記実施の形態におけるＭ／Ｓ変換部１１０が第１の変換手段の例であり、効果付与部１２０Ｍが第１の音響効果付与手段の例であり、効果付与部１２０Ｓが第２の音響効果付与手段の例であり、Ｍ／Ｓ再変換部１５０が第２の変換手段の例であり、第１の制御部１６０が第１の制御手段の例であり、第２の制御部１７０が第２の制御手段の例である。効果付与部１２０Ｍにより付与される音響効果が第１の音響効果の例であり、効果付与部１２０Ｓにより付与される音響効果が第２の音響効果の例であり、内部パラメータ組ＳＴ１１〜ＳＴ１３が第１の対応情報の例であり、内部パラメータ組ＳＴ２１〜ＳＴ２５が第２の対応情報の例であり、効果処理部１２１が第１または第２の生成部の例であり、ウェット経路ＷＥが第１または第３の経路の例であり、ドライ経路ＤＲが第２または第４の経路の例であり、加算器２０３が第１または第２の合成部の例である。請求項の各構成要素として、請求項に記載されている構成または機能を有する他の種々の要素を用いることができる。
【符号の説明】
【００５７】
１…電子楽器，２…演奏操作子，３…設定操作子，４…表示器，５…信号処理部，６…音源部，８…サウンドシステム，９…ＲＡＭ，１０…ＲＯＭ，１１…ＣＰＵ，１２…記憶装置，１３…通信Ｉ／Ｆ，１４…バス，１００…音響効果付与装置，１１０…Ｍ／Ｓ変換部，１２０Ｍ，１２０Ｓ…効果付与部，１２１…効果処理部，１２２…レベル調整部，１４０Ｍ，１４０Ｓ…増幅器，１５０…Ｍ／Ｓ再変換部，１６０…第１の制御部，１７０…第２の制御部，１８０…第１の記憶部，１９０…第２の記憶部，２０１，２０２…増幅器，２０３…加算器，ＡＳ１，ＡＳ２…ステレオ音響信号，ＤＲ…ドライ経路，Ｌ１，Ｌ２…左信号，ＭＳ１，ＭＳ２…和信号，ＯＰ１…第１の操作パラメータ，ＯＰ２…第２の操作パラメータ，ＰＭ１〜ＰＭｎ，ＰＳ１〜ＰＳｎ，ＰＭ１１〜ＰＭ１３，ＰＳ１１〜ＰＳ１３…内部パラメータ，Ｒ１，Ｒ２…右信号，ＳＳ１，ＳＳ２…差信号，ＳＴ１１〜ＳＴ１３，ＳＴ２１〜ＳＴ２５…内部パラメータ組，ＷＥ…ウェット経路
【図１】
2018116153.tif 000003
【図２】
2018116153.tif 000004
【図３】
2018116153.tif 000005
【図４】
2018116153.tif 000006
【図５】
2018116153.tif 000007